(57)【要約】 【課題】  電子機器の開閉度合を細かく検出する。【解決手段】    ＣＰＵ２２は、上ケース３の導電性板１１に信号を入力し、下ケース２の導電性の金属板１２に発生した電圧を検出する。そして、検出された電圧に基づいて、上ケース３と下ケース２との開閉度合を決定する。【選択図】図１
2016173305.tif 000002
【特許請求の範囲】
【請求項１】
導電性部材を備える上ケースと、
前記上ケースとヒンジで開閉可能に接続され、導電性部材を備える下ケースと、
前記上ケースの導電性部材と、前記下ケースの導電性部材とのいずれか一方に信号を入力する電圧入力手段と、
前記上ケースの導電性部材と、前記下ケースの導電性部材とのいずれか他方の電圧を検出する電圧検出手段と、
前記検出された電圧に応じて前記上ケースと前記下ケースとの開閉度合を決定する開閉度合決定手段と、
を具備する電子機器。
【請求項２】
前記上ケースの導電性部材及び前記下ケースの導電性部材は、補強のための導電性パネルである、請求項１記載の電子機器。
【請求項３】
前記角度決定手段により決定された前回の開閉度合と今回の開閉度合とに基づいて開閉方向を検出し、前記検出された開閉方向と、今回の開閉度合とに応じた動作を行なう制御手段をさらに具備する、請求項１記載の電子機器。
【請求項４】
前記制御手段は、
開閉方向が開方向であって、前記今回の開閉度合が第１の開閉度合である場合に、前記電子機器の電源をオンにし、
開閉方向が閉方向であって、前記今回の開閉度合が第２の開閉度合である場合に、前記電子機器をスタンバイモードにする、
請求項３記載の電子機器。
【請求項５】
前記制御手段は、
前記今回の開閉度合が第３の開閉度合である場合に、ユーザＩＤ及びパスワードの入力を受け付ける、請求項３記載の電子機器。
【請求項６】
前記信号は、前記電子機器のＣＰＵから出力されるデジタル信号である、請求項１記載の電子機器。
【請求項７】
導電性部材を備える上ケースと、前記上ケースとヒンジヒンジで開閉可能に接続され、導電性部材を備える下ケースと、を具備する電子機器のコンピュータを制御するプログラムであって、
前記上ケースの導電性部材と、前記下ケースの導電性部材とのいずれか一方に信号を入力させ、
前記入力された電圧に応答して発生し、前記上ケースの導電性部材と、前記下ケースの導電性部材とのいずれか他方の電圧を検出させ、
前記検出された電圧に応じて前記上ケースと前記下ケースとの開閉角度を決定させる、
電子機器のコンピュータを制御するプログラム。
【発明の詳細な説明】
【技術分野】
【０００１】
本発明は、電子機器及びそのプログラムに関する。
【背景技術】
【０００２】
従来より、上ケースと下ケースとがヒンジで結合された電子機器（ノートＰＣ，電子手帳）で、ケースの開閉を検出して、ＯＮ／ＯＦＦ制御することが行われている。しかし、単に開閉だけでなく、開閉角度も検出できれば、角度に対応して種々の制御が行える。
【０００３】
従来、このような電子機器の開閉度合を検出する技術として、電子機器に複数の磁石を設置して、磁場を測定することにより、開閉角度を計測する技術が知られている（特許文献１）。
【先行技術文献】
【特許文献】
【０００４】
【特許文献１】特開２０１４−３８１９０号公報
【発明の概要】
【発明が解決しようとする課題】
【０００５】
磁石により電子機器の開閉度合を検出する方法では、例えば、上ケースに磁石、回路基板がある下ケース側にＭＲ(Magneto Resistance)センサーが設置される。しかしながら、このような構成では、磁石の種類や、磁石及びＭＲセンサーの位置を調整する必要がある。また、磁石の種類や位置を決定した後は、開閉の開閉度合を細かく設定することが困難である。
【０００６】
本発明は、上記実情に鑑みてなされたものであり、電子機器の開閉度合を細かく検出することができる電子機器及びそのプログラムを提供することを目的とする。
【課題を解決するための手段】
【０００７】
本発明の第１の観点によれば、導電性部材を備える上ケースと、前記上ケースとヒンジで開閉可能に接続され、導電性部材を備える下ケースと、前記上ケースの導電性部材と、前記下ケースの導電性部材とのいずれか一方に信号を入力する電圧入力手段と、前記上ケースの導電性部材と、前記下ケースの導電性部材とのいずれか他方の電圧を検出する電圧検出手段と、前記検出された電圧に応じて前記上ケースと前記下ケースとの開閉度合を決定する開閉度合決定手段と、を具備する電子機器、である。
【発明の効果】
【０００８】
以上詳記したように、本発明によれば、電子機器の開閉度合を細かく検出することができる電子機器及びそのプログラムを提供することができる。
【図面の簡単な説明】
【０００９】
【図１】本発明の実施の形態に係る辞書装置の外観を示す斜視図である。
【図２】本実施の形態に係る辞書装置の電気回路の構成を示す図である。
【図３】入力デジタル信号電圧と、下ケース２の金属板１２に発生する電圧の波形を示す図である。
【図４】開閉角度と電圧の設定値との関係を記憶するテーブル２４−２を示す図である。
【図５】実施の形態に係る辞書装置の動作について説明するためのフローチャートである。
【発明を実施するための形態】
【００１０】
以下、実施の形態について、図面を参照して説明する。
【００１１】
図１は、本発明の実施の形態に係る辞書装置の外観を示す斜視図である。
【００１２】
同図において、辞書装置１の下ケース２は、ヒンジ（図示せず）を介して上ケース３に開閉可能に接続されている。下ケース２の表面には、サブ表示画面４、キー入力部５などが設けられる。
【００１３】
実施形態の辞書装置では、サブ表示画面４（例えば、液晶ＬＣＤ）の裏側であって、下ケース２の内部に、サブ表示画面４を補強するための金属板１２が設けられている。この金属板１２は、下ケース２の内部に設けられている１チップマイコン２１のＡＤ端子に接続される他、他の部材とは電気的に絶縁されている。
【００１４】
上ケース３の表面には、メイン表示画面６が設けられている。このメイン表示画面６の裏側であって、上ケース３の内部に、メイン表示画面６を補強するための金属板１１が設けられている。この金属板１１は、下ケース２の内部に設けられている１チップマイコン２１のＯＵＴ端子に接続される他、他の部材とは電気的に絶縁されている。
【００１５】
図１は、下ケース２と上ケース３との開閉度合である開閉角度が４５度の場合を示している。本実施の形態では、後述するように、下ケース２と上ケース３との開閉角度が４５度の場合であって、上ケース３が下ケース２に対して開く方向に動いている場合には、ユーザＩＤ及びパスワードの入力画面がメイン表示画面６に表示される。
【００１６】
図２は、本実施の形態に係る辞書装置の電気回路の構成を示す図である。
【００１７】
同図に示すように、辞書装置１の下ケース２の内部には、１チップマイコン２１が設けられている。１チップマイコン２１は、ＣＰＵ２２、メモリ２３、メモリに記憶されたプログラム２４−１、テーブル２４−２、ＯＵＴ端子２５及びＡＤ端子２６を具備する。
【００１８】
ＣＰＵ２２は、メモリ２３に記憶されたプログラム２４−１と協働して、本実施の形態に係る処理（辞書装置の下ケース２と上ケース３との開閉度合である開閉角度を検出する処理、検出された開閉度合である開閉角度に基づく処理など）を行なう。
【００１９】
また、ＣＰＵ２２は、上ケース３に設けられた導電性部材である金属板１１に入力されるデジタル電圧信号を出力する。なお、実施の形態では、ＣＰＵ２２から出力されたデジタル電圧信号を金属板１１に入力する場合について説明するが、これに限るものではない。例えば、他に電源などがある場合には、当該電源からのデジタル又はアナログ電圧信号を入力しても良い。
【００２０】
メモリ２３は、本実施の形態に係る処理を実現するためのプログラム２４−１を記憶するとともに、プログラム２４−１を実行するためのワークエリアなどとしても使用される。
【００２１】
プログラム２４−１は、ＣＰＵ２２により実行され、本実施の形態に係る処理を実現するためのプログラムであり、図４のフローチャートを実現するためのプログラムである。
【００２２】
テーブル２４−２は、ＣＰＵ２２によりプログラム２４−１を実行される際に使用される設定値（電圧）と開閉度合である開閉角度との関係を格納する。
【００２３】
ＯＵＴ端子２５は、ＣＰＵ２２から出力されたデジタル電圧信号を出力するための端子である。このＯＵＴ端子２５は、上ケース３の金属板１１に接続される。
【００２４】
ＡＤ端子２６には、下ケース２の導線性部材である金属板１２に、ＣＰＵ２２から出力されたデジタル電圧信号に対応して発生したアナログ電圧信号がダイオード１３を介して入力される。ダイオード１３は、ＡＤ端子２６の定格（例えば、−０．３［Ｖ］以上、或いは−０．６［Ｖ］以上）を守るためのダイオードであり、下ケース２の金属板１２に発生した電圧の定格外の電圧をカットする。ＡＤ端子２６は、入力されたアナログ電圧信号をＡＤ変換回路２７に出力する。
【００２５】
ＡＤ変換回路２７は、ＡＤ端子２６を介して入力されたアナログ電圧信号をデジタル電圧信号に変換してＣＰＵ２２に出力する。これにより、ＣＰＵ２２は、入力されたデジタル電圧信号に基づいて、下ケース２の金属板１２に発生した電圧を認識することができる。
【００２６】
なお、サンプリングレートによっては、アナログ電圧信号の取りこぼしが考えられるので、アナログ電圧信号である出力信号の立ち上がり後、所定のタイミングで、読み込みのタイミングを定めておいても良い。
【００２７】
図２においては、上ケース３の金属板１１と下ケース２の金属板１２との開閉角度と、金属板１２に発生し、ＡＤ端子２６に入力されるアナログ電圧信号との関係を示している。本実施の形態では、金属板１１と金属板１２とが導体であり、これら金属板１１と金属板１２との間が絶縁層となりコンデンサを形成する。
【００２８】
同図においては、開閉角度が１２０度の場合、ＡＤ端子２６に入力される電圧は０［Ｖ］であり、開閉角度が０度の場合の電圧信号の方が開閉角度が３０度の電圧信号よりも大きいことが示されている。
【００２９】
同図に示すように、開閉角度によりＡＤ端子２６に入力される電圧のレベルが変化するため、開閉角度を電圧の値で検出することが可能となる。
【００３０】
図３（ａ）〜図３（ｄ）は、上ケース３の金属板１１にデジタル信号電圧（本実施例では、周波数100Hz、Ｌ＝0Ｖ、Ｈ＝2Ｖが繰り返される矩形波形のデジタル信号）を入力した場合に、下ケース２の金属板１２に発生する電圧の波形を示す図である。
【００３１】
図３（ａ）は、開閉度合である開閉角度が０度の場合であって、金属板１１に前記デジタル信号電圧を入力した場合に、下ケース２の金属板１２に約１［Ｖ］の電圧が発生することを示している。
【００３２】
図３（ｂ）は、開閉度合である開閉角度が１５度の場合であって、金属板１１に前記デジタル信号電圧を入力した場合に、下ケース２の金属板１２に約５００［ｍＶ］の電圧が発生することを示している。
【００３３】
図３（ｃ）は、開閉角度が３０度の場合であって、金属板１１に前記デジタル信号電圧を入力した場合に、下ケース２の金属板１２に約４００［ｍＶ］の電圧が発生することを示している。
【００３４】
図３（ｄ）は、開閉度合である開閉角度が４５度の場合であって、金属板１１に前記デジタル信号電圧を入力した場合に、下ケース２の金属板１２に約２００［ｍＶ］の電圧が発生することを示している。
【００３５】
図４は、開閉度合である開閉角度と電圧の設定値との関係を記憶するテーブル２４−２を示す図である。
【００３６】
同図に示すように、設定１には、設定値  １［Ｖ］、開閉角度＝０度が設定され、設定２には、設定値５００［ｍＶ］、開閉角度＝１５度、設定３には、設定値４００［ｍＶ］、開閉角度＝３０度、設定４には、設定値２００［ｍＶ］、開閉角度＝４５度が対応付けられている。なお、テーブル２４−２の設定の数、設定値、設定角度は、ユーザにより任意に設定することができる。これにより、辞書装置の開閉角度を細かく設定することができる。
【００３７】
次に、本発明の実施の形態に係る辞書装置の動作について、図５のフローチャートを参照して説明する。
【００３８】
開閉角度の検出処理を行なう場合、ＣＰＵ２２はＯＵＴ端子２５を介して、上ケース３の金属板１１にデジタル電圧信号（パルス信号）を常時出力する（Ｓ１）。
【００３９】
次に、上ケース３の金属板１１に入力されたデジタル電圧信号（例えば、２［Ｖ］）に対応して、下ケース２の金属板１２に発生した電圧のＡＤ端子２６の電圧が設定１の電圧（１［Ｖ］）以上であるか否かの判断が行なわれる（Ｓ２）。Ｓ２において、ＡＤ端子２６の電圧が設定１の電圧以上であると判断された場合には、辞書装置がスタンバイモードであるか否かの判断が行なわれる（Ｓ３）。
【００４０】
Ｓ３において、スタンバイモードであると判断された場合には、Ｓ２の処理に戻る。一方、Ｓ３において、スタンバイモードでないと判断された場合には、辞書装置のスタンバイモードの設定を行なう（Ｓ４）。スタンバイモードは、省電力モードの設定であり、周知の技術であるので、ここでは説明を省略するが、例えば、ＣＰＵ２２が低消費電力動作を行ない、表示画面の表示がオフにされる。Ｓ４において、スタンバイモードの設定が行なわれた後は、Ｓ２の処理に戻る。
【００４１】
一方、Ｓ２において、ＡＤ端子２６の電圧が設定１の電圧未満である場合、ＡＤ端子２６の電圧が設定２の電圧（５００［ｍＶ］）であるか否かの判断が行なわれる（Ｓ５）。ここで、設定２の電圧は、開閉角度が１５度に相当する電圧であるが、ある程度幅を持たせても良い。例えば、開閉角度１０度〜２０度に相当する電圧の範囲にＡＤ端子２６の電圧があるか否かを判断しても良い。
【００４２】
Ｓ５において、ＡＤ端子２６の電圧が設定２の電圧であると判断された場合、次に、今回検出されたＡＤ端子２６の電圧が、前回検出されたＡＤ端子２６の電圧より小さいか否かの判断が行なわれる（Ｓ６）。
【００４３】
Ｓ６において、今回検出されたＡＤ端子２６の電圧が、前回検出されたＡＤ端子２６の電圧より小さいと判断された場合、開く方向の動作であるため、ＣＰＵ２２は、辞書装置を通常使用モード（ＣＰＵ２２を通常動作、表示画面の表示をオン）に設定し（Ｓ７）、Ｓ２の処理に戻る。
【００４４】
また、Ｓ６において、ＡＤ端子２６の今回検出された電圧が、前回検出されたＡＤ端子２６の電圧より小さくないと判断された場合には、閉じる方向であり、Ｓ２の処理に戻る。
【００４５】
一方、Ｓ５において、ＡＤ端子２６の電圧が設定２の電圧ではないと判断された場合には、ＡＤ端子２６の電圧が設定３の電圧であるか否かの判断が行なわれる（Ｓ８）。ここで、設定３の電圧は、開閉角度が３０度に相当する電圧であるが、ある程度幅を持たせても良い。例えば、開閉角度２５度〜３５度に相当する電圧の範囲にＡＤ端子２６の電圧があるか否かを判断しても良い。
【００４６】
Ｓ８において、ＡＤ端子２６の電圧が設定３の電圧であると判断された場合、次に、前回検出されたＡＤ端子２６の電圧が、今回検出されたＡＤ端子２６の電圧より小さいか否かの判断が行なわれる（Ｓ９）。
【００４７】
Ｓ９において、前回検出されたＡＤ端子２６の電圧が、今回検出されたＡＤ端子２６の電圧より小さいと判断された場合には、閉じる方向であるため、ＣＰＵ２２は、辞書装置をスタンバイモード（ＣＰＵ２２を低消費電力動作、表示画面の表示をオフ）に設定し（Ｓ１０）、Ｓ２の処理に戻る。
【００４８】
また、Ｓ９において、前回検出されたＡＤ端子２６の電圧が、今回検出されたＡＤ端子２６の電圧より小さくないと判断された場合には、開く方向であり、Ｓ２の処理に戻る。
【００４９】
一方、Ｓ８において、ＡＤ端子２６の電圧が設定３の電圧ではないと判断された場合、ＡＤ端子２６の電圧が設定４の電圧であるか否かの判断が行なわれる（Ｓ１１）。
【００５０】
ここで、設定４の電圧は、開閉角度が４５度に相当する電圧であるが、ある程度幅を持たせても良い。例えば、開閉角度４０度〜５０度に相当する電圧の範囲にＡＤ端子２６の電圧があるか否かを判断しても良い。
【００５１】
Ｓ１１において、ＡＤ端子２６の電圧が設定４の電圧であると判断された場合、辞書装置のユーザＩＤ及びパスワードが未設定か否かの判断が行なわれる（Ｓ１２）。
【００５２】
Ｓ１２において、辞書装置のユーザＩＤ及びパスワードが未設定であると判断された場合、開閉角度４５度の状態で、ユーザＩＤ及びパスワードの設定画面を表示し（Ｓ１３）、ユーザによるユーザＩＤ及びパスワードを受け付け（Ｓ１４）、Ｓ２の処理に戻る。このように、開閉角度４５度の状態で、ユーザＩＤ及びパスワードの入力を受け付けることで、第三者に見られないようにユーザＩＤ及びパスワードを入力することができる。
【００５３】
一方、Ｓ１２において、辞書装置のユーザＩＤ及びパスワードが未設定ではないと判断された場合、通常使用モードなどの他の処理が行なわれる。
【００５４】
したがって、本実施の形態の辞書装置によれば、検出電圧に基づいて、開閉角度の検出を行なうので、検出のための電圧の設定値を多く設定することにより、辞書装置の開閉角度を細かく検出することができる。
【００５５】
なお、実施の形態では、ＣＰＵ２２から出力されたデジタル電圧信号を上ケース３の金属板１１に入力し、下ケース２の金属板１２に発生した電圧信号をＣＰＵ２２に入力する場合について説明したが、これとは逆に、ＣＰＵ２２から出力されたデジタル電圧信号を下ケース２の金属板１２に入力し、上ケース３の金属板１１に発生した電圧信号をＣＰＵ２２に入力しても良い。
【００５６】
また、実施の形態では、金属板１１と金属板１２とでコンデンサを構成する場合について説明したが、これに限られるものではない。例えば、下ケース２や上ケース３の少なくとも１つの金属筐体を利用してコンデンサを構成しても良いし、辞書装置に含まれる他の金属部材を利用してコンデンサを構成しても良い。
【００５７】
さらに、実施の形態では、１チップマイコン２１のＣＰＵ２２から出力されたデジタル電圧信号をＯＵＴ端子２５を介して金属板１１に入力し、かつ、既存の辞書装置１に存在する金属板１１、１２を用いる構成としたので、開閉角度検出のための回路を設ける必要がなく、辞書装置の構造を簡単にすることができる。
【００５８】
さらに、実施の形態では、開閉角度だけではなく、開閉方向も考慮して、辞書装置が行なう動作を決定するので、開閉の状況に応じたきめの細かい制御を実現することができる。
さらに、一例として、辞書装置を例にとり説明したが、これに限られるものではなく、下ケースと上ケースが開閉構造を採用する電子機器であれば、本発明を適用することができることはいうまでもない。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１…辞書装置、
２…下ケース
３…上ケース、
４…サブ表示画面、
５…キー入力部、
６…メイン表示画面、
１１、１２…金属板、
１３…ダイオード、
２１…１チップマイコン、
２２…ＣＰＵ、
２３…メモリ、
２４−１…プログラム、
２４−２…テーブル、
２５…ＯＵＴ端子、
２６…ＡＤ端子、
２７…ＡＤ変換回路。
【図１】
2016173305.tif 000003
【図２】
2016173305.tif 000004
【図３】
2016173305.tif 000005
【図４】
2016173305.tif 000006
【図５】
2016173305.tif 000007